(57)【要約】【課題】多層光ディスクに対しても、Ｓ／Ｎの良い安定した信号を低コストで得ることができる光ピックアップ装置を提供する。【解決手段】レーザ光源の発光点からコリメータレンズまでの実効距離と、コリメータレンズから光検出器９の受光中心点９Ｐまでの実効距離とを略等しくする。光ディスクを再生する第１信号面で反射し、回折型光学素子で回折された１次回折光は、光検出器９の受光セル９Ａ〜９Ｄ上にスポット２１ａ〜２１ｄとして集光する。第１信号面で反射して１次以外で回折された光及び第２信号面で反射した光はクロストーク光となる。第１信号面からの１次回折光によるスポット２３ａ〜２３ｄ、第２信号面からの１次回折光によるスポット２４ａ〜２４ｄはすべての受光セル上に照射されないようにする。【選択図】図１１
2009015954.tif 000002
【特許請求の範囲】
【請求項１】
レーザ光を射出するレーザ光源と、
前記レーザ光源の発光点より射出された光を略平行光に変換するコリメータレンズと、
前記略平行光を集光して、第１の信号面及び第２の信号面を有する光ディスクに対して、前記第１又は第２の信号面にスポットを形成する対物レンズと、
前記第１又は第２の信号面からの反射光の略光束中心を通るように配置された複数の分割線と、前記複数の分割線により分割された複数の領域とを有し、前記反射光をそれぞれ所定方向に回折させる回折型光学素子と、
前記回折型光学素子によって所定方向に回折され、非点収差を付与された信号検出光を個別に受光し、且つ前記信号検出光が前記非点収差により生じる２つの焦線の略中間で最小錯乱円となる位置に配置された複数の受光セルを有する光検出器とを備え、
第１及び第２の信号面のうち、記録又は再生している信号面からの反射光で、且つ前記回折型光学素子の前記複数の領域において回折作用を受けずに透過した０次回折光が集光する前記光検出器上の位置を受光中心点とするとき、前記コリメータレンズから前記レーザ光源の前記発光点までの実効距離と、前記コリメータレンズから前記受光中心点までの実効距離とを略等しくしたことを特徴とする光ピックアップ装置。
【請求項２】
レーザ光を射出するレーザ光源と、
前記レーザ光源の発光点より射出された光を略平行光に変換するコリメータレンズと、
前記略平行光を集光して、第１の信号面及び第２の信号面を有する光ディスクに対して、前記第１又は第２の信号面にスポットを形成する対物レンズと、
前記光ディスクのトラックを投影したとき、前記トラックの方向と垂直な方向に配置された第１の分割線と、前記第１の分割線と４０°以上５０°以下の角度方向で配置された第２の分割線と、前記第１の分割線と角度−５０°以上−４０°以下の角度方向で配置された第３の分割線とを有し、前記第１、第２、第３の分割線は前記第１又は第２の信号面からの反射光の略光束中心を通るように配置され、前記第１、第２、第３の分割線により分割された６つの領域を有して、前記反射光をそれぞれ所定方向に回折させる回折型光学素子と、
前記回折型光学素子によって所定方向に回折され、非点収差を付与された信号検出光を個別に受光し、受光面上の中心点の周辺部に位置し、且つ前記信号検出光が前記非点収差により生じる２つの焦線の略中間で最小錯乱円となる位置に配置された複数の受光セルを有する光検出器とを備え、
第１及び第２の信号面のうち、記録又は再生している信号面からの反射光で、且つ前記回折型光学素子の前記６つの領域において回折作用を受けずに透過した０次回折光が集光する前記光検出器上の位置を受光中心点とするとき、前記コリメータレンズから前記レーザ光源の前記発光点までの実効距離と、前記コリメータレンズから前記受光中心点までの実効距離とを略等しくしたことを特徴とする光ピックアップ装置。
【請求項３】
レーザ光を第１の光軸上に射出するレーザ光源と、
前記レーザ光源の発光点より射出された光を前記第１の光軸方向と、前記第１の光軸方向に対して交差する第２の光軸方向とに分離する光路分離素子と、
前記光路分離素子によって分離された前記第１の光軸方向の光が入射されるコリメータレンズと、
前記光路分離素子によって分離された前記第２の光軸方向の光が入射される回折型光学素子と、
前記回折型光学素子より射出された光が入射される光検出器とを備え、
前記光検出器に入射された光は前記光検出器より反射されて前記回折型光学素子を透過し、前記光路分離素子により反射されて前記第１の光軸方向の光として射出され、前記コリメータレンズへと入射される光ピックアップ装置における前記光検出器の位置を調整する光ピックアップ装置の調整方法であって、
前記コリメータレンズに対向し、前記第１の光軸方向で前記レーザ光源とは反対側に、撮像面を有する撮像素子を配置する配置ステップと、
前記レーザ光源の発光点より光を射出させる射出ステップと、
前記レーザ光源の発光点より射出された光と前記光検出器より反射された光とを合わせて、前記撮像素子の撮像面にて受光する受光ステップと、
前記レーザ光源の前記発光点と前記光検出器の双方に焦点が合うか否かを判定する判定ステップと、
前記判定ステップにより焦点が合わないと判定された場合、前記光検出器の位置を調整する調整ステップとを含むことを特徴とする光ピックアップ装置の調整方法。
【発明の詳細な説明】
【技術分野】
【０００１】
本発明は、対物レンズと光検出器の間に複数の分割領域を有する回折型光学素子を備え、単層に信号面を有する光ディスクだけでなく複数層に信号面を有する光ディスクに対しても良好な記録又は再生を行うことができる光ピックアップ装置及びその調整方法に関する。
【背景技術】
【０００２】
円盤状の光記録媒体である光ディスクには、透明基板上に螺旋状又は同心円状のトラックが形成されている。そして、このトラックに対して映像情報、音声情報、コンピュータデータなどの情報を高密度に記録でき、且つ記録済みのトラックを再生する際に所望のトラックを高速にアクセスできることから、光ディスクは一般的な記録媒体として多用されている。
【０００３】
この種の光ディスクとしてＣＤ(Compact Disc)やＤＶＤ(Digital versatile Disc)などは既に市販され、最近では、より一層高密度化を図って大容量化した２種類の高密度光記録媒体が流通している。すなわち、ＢＤ（Blu-ray Disc）及びＨＤ−ＤＶＤ（High Definition DVD）である。
【０００４】
また、各光ディスクを大容量化するため、複数層に信号面を有する多層光ディスク（以下、単に多層光ディスクという）の開発と規格化が進展している。ＤＶＤ−ＲＯＭ、ＤＶＤ−Ｒの片面２層に信号面を有する光ディスク（以下、片面２層光ディスクという）は既に市販され、ＤＶＤ−ＲＷ、ＢＤ、ＨＤ−ＤＶＤも片面２層光ディスクの規格化が進んでいる。更に、最近の学会では、ＢＤの４層光ディスク、８層光ディスクの開発についての発表がなされた。
【０００５】
ところで、前記したＤＶＤの片面２層光ディスクを再生する光ピックアップ装置では、１ビームによるＤＰＤ（DifferentialPhaseDetection）法（位相差トラッキング法）を用いて、ＤＰＤ信号と呼ばれるトラッキングエラー信号の検出を行っている。ＤＰＤ法とは、光ディスクの信号面から反射して戻る光（以下、反射光という）を受光して得られる光強度変調信号の位相差に基づいて、ＤＰＤ信号を得る方法である。しかし、ＤＶＤ−Ｒ、ＤＶＤ−ＲＷといった記録型光ディスクに対しては、信号記録後においてはＤＰＤ信号の検出ができるものの、信号記録前においてはＤＰＤ信号の検出ができない。そこで、ＤＶＤの記録型光ディスクに対しては、３ビームによるＤＰＰ（DifferentialPush Pull）法（差動プッシュプル法）を用いて、ＤＰＰ信号と呼ばれるトラッキングエラー信号の検出を行っている。ＤＰＰ法とは、メインビームのプッシュプル信号と前後サブビームのプッシュプル信号との差動をとることで、オフセットの無いトラッキングエラー信号を得る方法である。
【０００６】
波長４０５ｎｍ程度の青色レーザ光源を用いて記録又は再生するＨＤ−ＤＶＤでは、再生型、記録型光ディスクに対して、それぞれ前記したＤＶＤと同様のトラッキングエラー信号の検出方法を用いている。一方、波長４０５ｎｍ程度の青色レーザ光源を用いて記録又は再生する別規格のＢＤでは、ＢＤ−ＲＯＭにおいてはＤＰＤ信号を検出できるものの、記録型光ディスクにおいては信号記録後の状態でＤＰＤ信号の検出が規格として保証されていない。そのため、記録型でも再生型でもＤＰＰ信号を検出するのが一般的である。
【０００７】
ここで、片面２層光ディスクにおいてＤＰＰ法を用いた場合は、以下のような問題がある。記録又は再生していない他の層、すなわちデフォーカスしている層（以下、他層という）の信号面からの反射光が、不要なクロストーク光として光検出器に入射し、記録又は再生している層（以下、記録再生層という）の信号面からの反射光と重なることで干渉性のノイズが発生する。この干渉性のノイズによる振る舞いは、干渉する２つの光の間の光路差、すなわち、光ディスクの層間距離による光路差で決まる。更に、このノイズによる振る舞いは、光ディスクのトラック位置による層間距離の変動、光ディスクのチルトの状態、再生している記録用のトラック（グルーブ）の影響も受ける。
【０００８】
また、ＤＰＰ信号を用いた場合は、記録時のサブビームによる誤記録を防ぐため、及び光の効率的な利用のため、サブビームの光量はメインビームよりも小さく設定されている。このため、サブビームは、クロストーク光の影響をメイン光よりも大きく受けるために、前記の問題が顕著に生じる。
【０００９】
このクロストーク光の影響は、ＤＶＤの片面２層光ディスクの場合も生じていた。しかし、ＤＶＤと比較して、ＢＤではより安定な記録、再生ができないと報告されている（例えば、非特許文献１参照）。その理由は、次の通りである。第１に、層間距離がＤＶＤよりも狭くなって光路差が小さくなり、またＤＶＤより対物レンズの開口数（ＮＡ）が上がっているため、クロストーク光のスポットサイズが大きくなったことである。第２に、波長４０５ｎｍの青色レーザ光源では、レーザの干渉性が上がっていることである。
【００１０】
そこで、これらの問題を解決する方法として、１ビーム方式によるＡＰＰ（Advanced Push Pull）法（アドバンスドプッシュプル法）を用いるトラッキングエラー信号の検出方法が提案されている（例えば、非特許文献２参照）。
【００１１】
図１６は非特許文献２記載の従来の光ピックアップ装置の検出系の一例の構成図、図１７は非特許文献２記載の従来の光ピックアップ装置の検出系に用いるＨＯＥパターン（ファーフィールドパターン）の一例を示した図、図１８は非特許文献２記載の従来の光ピックアップ装置のクロストーク光の広がりの一例を示した図である。
【００１２】
図１６、図１７、図１８を用いて、光ディスクからの反射光をＰＤ（光検出器）で受光するまでの従来の光ピックアップ装置の動作を簡単に説明する。図１６において、フォーカスエラー信号は次のようにして検出される。光ディスクの信号面からの反射光が、ホログラム光学素子（以下、ＨＯＥという）１０１によって回折作用を受けずに透過し、レンズ１０２を通って収束光となり、シリンドリカルレンズ１０３を通って非点収差が与えられ、フォーカス用ＰＤ１０４上で受光されて検出される。
【００１３】
一方、トラッキングエラー信号は次のようにして検出される。光ディスクの信号面からの反射光は、ＨＯＥ１０１によって回折され、レンズ１０２を通って収束光となり、シリンドリカルレンズ１０３でＨＯＥ１０１によって生じる非点収差がキャンセルされ、トラッキング用ＰＤ１０５（１０５Ａ〜１０５Ｄ）で受光されて検出される。
【００１４】
図１７はＨＯＥ１０１のパターンを示しており、ＨＯＥ１０１は５つの領域１０１Ａ〜１０１Ｅに分割されている。図１８はフォーカシング用ＰＤ１０４、トラッキング用ＰＤ１０５における信号検出光のスポット及びクロストーク光のスポットの状態を示している。記録再生層の信号面からの反射光で且つＨＯＥ１０１において回折作用を受けない光は、受光部１０４でスポット１０６を形成し、フォーカスエラー信号を検出するための信号検出光となる。
【００１５】
記録再生層の信号面からの反射光で且つ領域１０１Ａにおいて回折された光はＰＤ１０５Ａ上でスポット１０７Ａを形成し、領域１０１Ｂにおいて回折された光はＰＤ１０５Ｂ上でスポット１０７Ｂを形成し、領域１０１Ｃにおいて回折された光はＰＤ１０５Ｃ上でスポット１０７Ｃを形成し、領域１０１Ｄにおいて回折された光はＰＤ１０５Ｄ上でスポット１０７Ｄを形成し、それぞれトラッキング信号を検出するための信号検出光となる。また、記録再生層の信号面からの反射光で且つ領域１０１Ｅにおいて回折した光はスポット１０７Ｅを形成し、フォーカシング用ＰＤ１０４及びトラッキング用ＰＤ１０５上には照射されない。
【００１６】
次に、他層の信号面からのクロストーク光について説明する。他層の信号面からの反射光で且つＨＯＥ１０１において回折作用を受けないクロストーク光によるスポット１０８は、フォーカシング用ＰＤ１０４上に照射されるものの、トラッキング用ＰＤ１０５上には照射されない。他層の信号面からの反射光で且つ領域１０１Ａにおいて回折したクロストーク光はスポット１０９Ａを、領域１０１Ｂにおいて回折したクロストーク光はスポット１０９Ｂを、領域１０１Ｃにおいて回折したクロストーク光はスポット１０９Ｃを、領域１０１Ｄにおいて回折したクロストーク光はスポット１０７Ｄをそれぞれ形成し、トラッキング用ＰＤ１０５の周辺に位置するため、トラッキング用ＰＤ１０５上には照射されない。
【００１７】
また、領域１０１Ｅにおいて回折したクロストーク光はスポット１０９Ｅを形成して、フォーカシング用ＰＤ１０４の左右に位置し、トラッキング用ＰＤ１０５上には照射されない。そして、トラッキングエラー信号ＴＡＰＰは、ＰＤ１０５Ａで得られる電気信号をＴＡ、ＰＤ１０５Ｂで得られる電気信号をＴＢ、ＰＤ１０５Ｃで得られる電気信号をＴＣ、ＰＤ１０５Ｄで得られる電気信号をＴＤとするとき、ＡＰＰ法を用いて以下の（１）式により算出される。
ＴＡＰＰ＝ＴＣ−ＴＤ−Ｔｋ・（ＴＡ−ＴＢ）  …（１）
ここで、Ｔｋは定数である。
【００１８】
また、クロストーク光の問題を解決する他の方法として、非特許文献２と同様に１ビーム方式によるＰＰ法を用いるトラッキングエラー信号の検出方法が提案されている（例えば、非特許文献３参照）。図１９は非特許文献３記載の従来の光ピックアップ装置の検出系に用いる液晶素子の一例の構造図、図２０は非特許文献３記載の従来の光ピックアップ装置の受光セル上にビームがスポットを形成する状態を示した図である。
【００１９】
図１９及び図２０を用いて、非特許文献３記載の従来の光ピックアップ装置における光ディスクの信号面からの反射光を検出するまでの動作を簡単に説明する。図１９（ａ）に示すように、液晶素子１１０は３層からなり、光ディスク（不図示）側から非偏光ＨＯＥ１１１、液晶アクティブローテータ１１２、偏光ＨＯＥ１１３の順に形成される。
【００２０】
図１９（ｂ）に示すように、非偏光ＨＯＥ１１１はフォーカスエラー信号を検出するために、レンズ効果を有する回折素子であり、±１次回折光を発生させるものである。液晶アクティブローテータ１１２は電圧のオン（ＯＮ）、オフ（ＯＦＦ）で偏光方向を変えるものである。偏光ＨＯＥ１１３は、図１９（ｃ）に示す記録型用パターン１１３Ａと、図１９（ｄ）に示す再生型用パターン１１３Ｂの積層によって構成されている。
【００２１】
記録型のトラッキングエラー信号を検出する場合には、液晶アクティブローテータ１１２で電圧をオフにして、入射偏光方向と垂直な方向に射出偏光方向を変える。そして、図２０（ａ）に示すように、偏光ＨＯＥ１１３のうち記録型用パターン１１３Ａを作用させ、ＰＤ１１４上で０次、１次、−１次回折光が受光され、非特許文献２と同様のＡＰＰ法を用いてトラッキングエラー信号が検出される。その際、記録型用パターン１１３Ａの中央の領域１１３Ｅはトラッキングエラー信号の演算から除かれ、クロストーク光の影響を減らしている。
【００２２】
一方、再生型のトラッキングエラー信号を検出する場合には、液晶アクティブローテータ１１２で電圧をオンにして、入射偏光方向と射出偏光方向を同じにする。そして、図２０（ｂ）に示すように、偏光ＨＯＥ１１３のうち再生型用パターン１１３Ｂを作用させ、ＰＤ１１４上で０次、１次、−１次回折光が受光され、ＤＰＤ法を用いてトラッキングエラー信号が検出される。
【００２３】
【非特許文献１】Alexander van der Lee,et.al.,"Drive consideration for multilayer discs",ISOM06 Technical Digest P.30 Mo-C-5
【非特許文献２】Kousei SANO,et.al.,"Novel One-Beam Tracking Detection Method for Dual-Layer Blu-ray Discs",Japanese Journal of Applied Physics Vol.45,No.2B,2006,pp.1174-1177（第４図、第６図、第７図）
【非特許文献３】Noriaki Nishi et.al.,"Novel One-Beam Detection Method with Changeable Multi Division Patterns",Proc. of SPIEVol.6282,62821H-1（第４図、第５図）
【発明の開示】
【発明が解決しようとする課題】
【００２４】
図１６〜図１８を用いて説明した非特許文献２記載の従来の光ピックアップ装置では、トラッキング用ＰＤ１０５にクロストーク光の影響が生じないようにしてトラッキングエラー信号を安定にしている。しかし、フォーカス用ＰＤ１０４とトラッキング用ＰＤ１０５と検出ビームを２つに分け、フォーカス用ＰＤ１０４から得られる信号はメイン信号の検出には用いることができないので、信号出力が低下し、信号検出のＳ／Ｎが低下する。特に、高速な再生を行う場合には顕著に問題となる。
【００２５】
また、図１９及び図２０を用いて説明した非特許文献３記載の従来の光ピックアップ装置では、クロストーク光の影響を少なくして、記録型、再生型のトラッキングエラー信号検出を行うことができるものの、液晶アクティブローテータ１１２や２パターンの偏光ＨＯＥ１１３Ａ、１１３Ｂ等の高価な部品が多い構成であるため、装置全体が高価となる問題がある。
【００２６】
本発明はこのような問題点に鑑みなされたもので、多層光ディスクに対して情報を記録し、又は多層光ディスクから情報を再生する場合に、Ｓ／Ｎの良い、安定した信号を低コストで得ることができる光ピックアップ装置及びその調整方法を提供することを目的とする。
【課題を解決するための手段】
【００２７】
本発明は、前述した従来の技術の課題を解決するため、次の構成を有する光ピックアップ装置を提供するものである。
レーザ光を射出するレーザ光源（２）と、レーザ光源の発光点（２Ｐ）より射出された光（ＬＳ）を略平行光に変換するコリメータレンズ（４）と、略平行光を集光して、第１の信号面（１０Ｂ１）及び第２の信号面（１０Ｂ２）を有する光ディスク（１０）に対して、第１（１０Ｂ１）又は第２の信号面（１０Ｂ２）にスポットを形成する対物レンズ（７）と、第１（１０Ｂ１）又は第２の信号面（１０Ｂ２）からの反射光（ＬＴ）の略光束中心を通るように配置された複数の分割線（８ｉ，８ｊ）と、複数の分割線（８ｉ，８ｊ）により分割された複数の領域（８Ａ〜８Ｄ）を有し、前記反射光（ＬＴ）をそれぞれ所定方向に回折させる回折型光学素子（８）と、回折型光学素子（８）によって所定方向に回折され、非点収差を付与された信号検出光（２１ａ〜２１ｄ）を個別に受光し、受光面上の中心点（９Ｐ）の周辺部に位置し、且つ信号検出光（２１ａ〜２１ｄ）が非点収差により生じる２つの焦線の略中間で最小錯乱円となる位置に配置された複数の受光セル（９Ａ〜９Ｄ）を有する光検出器（９）とを備え、第１（１０Ｂ１）及び第２の信号面（１０Ｂ２）のうち、記録又は再生している信号面からの反射光（ＬＴ）で、且つ回折型光学素子の複数の領域（８Ａ〜８Ｄ）において回折作用を受けずに透過した０次回折光（２２）が集光する位置を光検出器（９）上の受光中心点（９Ｐ）とするとき、コリメータレンズ（４）からレーザ光源（２）の発光点（２Ｐ）までの実効距離と、コリメータレンズ（４）から受光中心点（９Ｐ）までの実効距離とを略等しくした光ピックアップ装置（１）である。
【００２８】
また、レーザ光を射出するレーザ光源（２）と、レーザ光源（２）の発光点（２Ｐ）より射出された光（ＬＳ）を略平行光に変換するコリメータレンズ（４）と、略平行光を集光して、第１の信号面（１０Ｂ１）及び第２の信号面（１０Ｂ２）を有する光ディスク（１０）に対して、第１（１０Ｂ１）又は第２の信号面（１０Ｂ２）にスポットを形成する対物レンズ（７）と、光ディスク（１０）のトラックを投影したとき、トラックの方向と垂直な方向に配置された第１の分割線（５０ｉ）と、第１の分割線（５０ｉ）と４０°以上５０°以下の角度方向で配置された第２の分割線（５０ｊ）と、第１の分割線（５０ｉ）と角度−５０°以上−４０°以下の角度方向で配置された第３の分割線（５０ｋ）と、第１、第２、第３の分割線（５０ｉ，５０ｊ，５０ｋ）は第１（１０Ｂ１）又は第２の信号面（１０Ｂ２）からの反射光（ＬＴ）の略光束中心を通るように配置され、第１、第２、第３の分割線（５０ｉ，５０ｊ，５０ｋ）により分割された６つの領域（５０Ａ〜５０Ｆ）を有して、反射光（ＬＴ）をそれぞれ所定方向に回折させる回折型光学素子（５０）と、回折型光学素子（５０）によって所定方向に回折され、非点収差を付与された信号検出光（６１ａ〜６１ｆ）を個別に受光し、受光面上の中心点（９Ｐ）の周辺部に位置し、且つ信号検出光（６１ａ〜６１ｆ）が非点収差により生じる２つの焦線の略中間で最小錯乱円となる位置に配置された複数の受光セル（５１Ａ〜５１Ｆ）を有する光検出器（５１）とを備え、第１（１０Ｂ１）及び第２の信号面（１０Ｂ２）のうち、記録又は再生している信号面からの反射光で、且つ回折型光学素子の６つの領域（５０Ａ〜５０Ｆ）において回折作用を受けずに透過した０次回折光（２２）が集光する位置を受光中心点（９Ｐ）とするとき、コリメータレンズ（４）からレーザ光源の発光点（２Ｐ）までの実効距離と、コリメータレンズ（４）から受光中心点（９Ｐ）までの実効距離とを略等しくした光ピックアップ装置（１）である。
【００２９】
また、レーザ光を第１の光軸上に射出するレーザ光源（２）と、レーザ光源（２）の発光点（２Ｐ）より射出された光を第１の光軸（Ｌ１）方向と、第１の光軸（Ｌ１）方向に対して交差する第２の光軸（Ｌ２）方向とに分離する光路分離素子（３）と、光路分離素子（３）によって分離された第１の光軸方向の光が入射されるコリメータレンズ（４）と、光路分離素子（３）によって分離された第２の光軸（Ｌ２）方向の光が入射される回折型光学素子（８）と、回折型光学素子（８）より射出された光が入射される光検出器（９）とを備え、光検出器（９）に入射された光は光検出器（９）より反射されて回折型光学素子（８）を透過し、光路分離素子（３）により反射されて第１の光軸（Ｌ１）方向の光として射出され、コリメータレンズ（４）へと入射される光ピックアップ装置（１）における光検出器（９）の位置を調整する光ピックアップ装置の調整方法であって、コリメータレンズ（４）に対向し、第１の光軸（Ｌ１）方向でレーザ光源（２）とは反対側に、撮像面（１１Ａ）を有する撮像素子（１１）を配置する配置ステップと、レーザ光源（２）の発光点（２Ｐ）より光を射出させる射出ステップと、レーザ光源（２）の発光点（２Ｐ）より射出された光と光検出器（９）より反射された光とを合わせて、撮像素子（１１）の撮像面（１１Ａ）にて受光する受光ステップと、レーザ光源（２）の発光点（２Ｐ）と光検出器（９）の双方に焦点が合うか否かを判定する判定ステップと、判定ステップにより焦点が合わないと判定された場合、光検出器（９）の位置を調整する調整ステップとを含む光ピックアップ装置の調整方法である。
【発明の効果】
【００３０】
本発明の光ピックアップ装置によれば、レーザ光源の発光点と光検出器の受光中心点とを共役配置にして、回折型光学素子の位置誤差に対して信号検出光となるスポットの位置誤差が少ない構成としている。そのため、Ｓ／Ｎの良い安定したフォーカスエラー信号及びトラッキングエラー信号を得ることができる。
【００３１】
また、記録再生層の信号面からの反射光を回折型光学素子に入射して、信号検出光以外の次数で回折されたクロストーク光が、すべての受光セル上に照射しない構成としている。また、他層の信号面からの反射光を回折型光学素子に入射して、信号検出光と同じ次数で回折されたクロストーク光も、すべての受光セル上に照射しない構成としている。そのため、Ｓ／Ｎの良い、より一層安定したフォーカスエラー信号及びトラッキングエラー信号を得ることができる。
【００３２】
また、液晶素子等の高価な部品を使うことなく１枚の回折型光学素子のみで、クロストーク光が受光セル上に照射しない構成としているので低コストである。
【００３３】
また、本発明の光ピックアップ装置の調整方法によれば、レーザ光源の発光点と光検出器の受光中心点とを、容易に共役な位置関係にする。そのため、Ｓ／Ｎの良い安定した信号を低コストで得る光ピックアップ装置を製造することができる。
【発明を実施するための最良の形態】
【００３４】
＜第１の実施形態＞
本発明の第１の実施形態について、図１〜図１１を参照して説明する。図１は、本発明の光ピックアップ装置１の全体構成を示した図である。光ピックアップ装置１は、レーザ光源２から射出する波長λ＝４０５ｎｍのレーザ光ＬＳを用いて、Ｂｌｕ−ｒａｙ規格の片面２層の信号面１０Ｂを有する光ディスク（ＢＤ）１０に対して記録し、又は光ディスク１０から情報を再生する装置である。光ディスク１０は、光入射面１０Ａから第１の信号面までの厚さｔ１＝０.０７５ｍｍ、第２の信号面までの厚さｔ２＝０．１ｍｍを有する。
【００３５】
対物レンズ７は第１、第２の信号面の中間の厚さ０.０８７５ｍｍのとき、最適にレーザ光を集光する設計とされている。第１の信号面１０Ｂ１に対する記録又は再生を行う場合は、コリメータレンズ４を光路方向に移動して、コリメータレンズ４から発せられる光を僅かに収束光とすることにより、良好に記録又は再生ができる。また、第２の信号面１０Ｂ２に対する記録又は再生を行う場合は、コリメータレンズ４を光路方向に移動して、コリメータレンズ４から発せられる光を僅かに発散光とすることにより、良好に記録又は再生ができる。以下、第１の信号面１０Ｂ１を記録再生層の信号面、第２の信号面１０Ｂ２を他層の信号面として説明する。
【００３６】
レーザ光源２の発光点２Ｐより射出されたレーザ光ＬＳはｐ偏光の直線偏光であり、光路分離素子３を透過する。光路分離素子３は偏光ビームスプリッタやハーフミラー等、レーザ光源２から光ディスク１０へ向かう光と、光ディスク１０からの反射光が光検出器９へ向かう光とを分離する機能を有するものであれば良い。また、素子形状は角形でも平板状でも良い。本実施形態では、光路分離素子３を偏光ビームスプリッタとする。
【００３７】
偏光ビームスプリッタ３に入射した光は、ｐ偏光を透過させ、ｓ偏光を反射させる偏光選択性誘電体多層膜３Ａを透過した後、コリメータレンズ４により僅かに収束光とされ、平板ミラー５の反射膜５Ａにより９０°の角度で偏向されて、１／４波長板６によりλ／４の位相差が与えられ、円偏光となり対物レンズ７に入射する。対物レンズ７で絞って得られたビームは、光ディスク１０の光入射面１０Ａから入射して、記録再生層の信号面１０Ｂ１上で収差が良好な状態で集光して、記録又は再生が行われる。
【００３８】
そして、記録再生層の信号面１０Ｂ１からの反射光ＬＴは、対物レンズ７に再入射し、この対物レンズ７により僅かに発散光となり、１／４波長板６に入射してλ／４の位相差が与えられ、ｓ偏光の直線偏光となる。その後、平板ミラー５の反射膜５Ａにより９０°の角度で偏向され、コリメータレンズ４により収束光となり、偏光ビームスプリッタ３に入射する。
【００３９】
図２は光ピックアップ装置１の検出系を詳細に示した図である。図２に示すように、偏光ビームスプリッタ３に入射したｓ偏光の反射光ＬＴは、偏光選択性誘電体多層膜３Ａで反射され、回折型光学素子８に入射してＨＯＥ面８Ｚの各分割領域で所定の方向に回折され、３次非点収差（以下、単に非点収差という）が付与される。非点収差を付与する手段は、ＨＯＥ８Ｚの各分割領域を用いても、シリンドリカルレンズ等を用いても良いが、本実施形態ではＨＯＥ８Ｚの各分割領域で非点収差が付与されるものとする。非点収差が付与された回折光は、光検出器９の受光面上の受光セルで信号検出光のスポットとして受光される。その後、光電変換され、各電気信号に対してそれぞれ後述する所定の演算式に従って、トラッキングエラー信号，フォーカスエラー信号，メインデータ信号が算出される。
【００４０】
次に、本発明の要部である光ピックアップ装置１の検出系について、図３〜図５を用いて説明する。ここで、図３はＨＯＥ面８Ｚの分割領域８Ａ〜８Ｄを示した図、図４は光検出器９の受光セル９Ａ〜９Ｄの配置を示した図、図５は図１中の射出系の実効距離と検出系の実効距離を示した図である。
【００４１】
図３において、偏光ビームスプリッタ３で反射され、回折型光学素子８に入射した反射光ＬＴは、回折型光学素子８のＨＯＥ面８Ｚ上の４つの分割領域８Ａ〜８Ｄでそれぞれ次数ｍａの回折光によって所定方向に回折される。なお、分割領域８Ａ〜８Ｄで信号検出光として回折させる次数ｍａは、０以外の任意の整数を用いることができるが、本実施形態ではｍａ＝１として説明する。
【００４２】
図３に示すように、４つの分割領域８Ａ〜８Ｄは光軸中心８Ｐを通る２本の分割線８ｉ，８ｊによって分けられる。２本の分割線８ｉ，８ｊは、ＨＯＥ面８Ｚ上に光ディスク１０のトラックを投影した時のそのトラックの方向と垂直な方向（以下、ラジアル方向という）に対し、±４５°の角度方向に配置される。そして、分割領域８Ａ〜８Ｄはそれぞれ異なる回折構造をもつホログラムパターンとなっており、且つｍａ＝１の１次回折光に対し非点収差を付与する構成となっている。よって、４つの分割領域８Ａ〜８Ｄにそれぞれ対応して非点収差が付与された４つの１次回折光が生じる。なお、対物レンズ７でのレンズシフトやレンズチルトがない状態では、記録再生層の信号面１０Ｂ１からの反射光の光束中心がＨＯＥ面８Ｚの略光軸中心８Ｐを通る。また、分割領域８Ａ〜８Ｄを合わせたものは円形となっているが、楕円形、角形等でも良い。
【００４３】
その後、４つの１次回折光は、図４に示す光検出器９の受光面上に配置された受光セル９Ａ〜９Ｄ上で信号検出光のスポット２１ａ〜２１ｄを形成して受光される。受光セル９Ａ〜９ＤはＨＯＥ面８Ｚの分割領域８Ａ〜８Ｄの各回折方向に応じて配置されており、分割領域８Ａで回折された１次回折光は受光セル９Ａ（９Ａ１と９Ａ２にまたがる）上でスポット２１ａを形成して受光される。同様に、分割領域８Ｂで回折された１次回折光は受光セル９Ｂ（９Ｂ１と９Ｂ２にまたがる）上でスポット２１ｂを、分割領域８Ｃで回折された１次回折光は受光セル９Ｃ上でスポット２１ｃを、分割領域８Ｄで回折された１次回折光は受光セル９Ｄ上でスポット２１ｄを、それぞれ形成して受光される。
【００４４】
受光中心点９Ｐは、記録再生層の信号面１０Ｂ１からの反射光で、且つ分割領域８Ａ〜８Ｄで回折作用を受けずに透過した０次回折光が、スポット２２を形成して略集光する位置である。ＨＯＥ面８Ｚの光軸中心８Ｐと光検出器９の受光中心点９Ｐは、光軸方向で略一致している。また、受光面上において、受光セル９Ａ，９Ｂの中点９Ｒから受光中心点９Ｐまでの距離と、受光セル９Ｃ，９Ｄの中点９Ｓから受光中心点９Ｐまでの距離は略等しいのが望ましい。その理由は、それぞれの距離が大きく異なると、分割領域８Ａ〜８Ｄのホログラムパターンの回折ピッチが変わり、各受光セル９Ａ〜９Ｄでの各光量が異なるからである。
【００４５】
また、光ディスク１０のトラックを光検出器９の受光面に投影した時、受光セル９Ａはラジアル方向で受光セル９Ａ１と９Ａ２に２分割される。同様に、受光セル９Ｂはラジアル方向で受光セル９Ｂ１と９Ｂ２に２分割される。後述する非点収差法を用いてフォーカスエラー信号を算出するには、受光セル９Ａ，９Ｂはそれぞれ２分割されている必要がある。また、非点収差は一般的に４５°方向に与えられるものであり、分割領域８Ａ，８Ｂで４５°方向に非点収差を与えられると、最小錯乱円の位置にあるスポットは９０°回転する。そのため、受光セル９Ａ，９Ｂはラジアル方向で分割されるのが望ましい。
【００４６】
各受光セル９Ａ〜９Ｄ上での各信号検出光のスポット２１ａ〜２１ｄは、分割領域８Ａ〜８Ｄに応じた扇形状となるが、分割領域がなく円形状のホログラムパターンで最小錯乱円となる円形状スポットと考えた場合に適切な非点収差を有し、他の収差は発生しないものである。そして、非点収差により生じる２つの焦線の略中間でスポットが最小錯乱円となるので、この中間位置に受光セル９Ａ〜９Ｄが配置される。
【００４７】
ＨＯＥ面８Ｚの分割領域８Ａ〜８Ｄで与えられる非点収差は、少なくとも８Ａ及び８Ｂでは同方向で且つ４５°方向が良い。ただし、フォーカスエラー信号やトラッキングエラー信号等のサーボ信号による光ピックアップ装置１の調整を考慮すれば、すべての分割領域８Ａ〜８Ｄで与えられる非点収差は、同方向で且つ４５°方向であることが望ましい。なお、ホログラムパターンとは別にシリンドリカルレンズを入れて非点収差を与えても良い。
【００４８】
図５において、偏光ビームスプリッタの中心点３Ｐは、光軸と偏光選択性誘電体多層膜３Ａとの交点である。そして、Ｎ１はレーザ光源２の発光点２Ｐから偏光ビームスプリッタ３の中心点３Ｐまでの実効距離、Ｎ２は偏光ビームスプリッタ３の中心点３Ｐから光検出器の受光中心点９Ｐまでの実効距離を示している。実効距離とは、硝材の屈折率で決まる空気換算距離のことである。そして、コリメータレンズ４からレーザ光源２の発光点２Ｐまでの実効距離と、コリメータレンズ４から光検出器９の受光中心点９Ｐまでの実効距離が等しい場合、すなわち実効距離Ｎ１と実効距離Ｎ２が等しい場合、レーザ光源２の発光点２Ｐと光検出器９の受光中心点９Ｐは共役配置となる。
【００４９】
一方、受光中心点９Ｐから各受光セル９Ａ〜９Ｄまでの距離は、数百μｍ以内である。よって、レーザ光源２の発光点２Ｐとコリメータレンズ４までの実効距離と、コリメータレンズ４から光検出器９の各受光セル９Ａ〜９Ｄまでの実効距離は略等しい。よって、各分割領域８Ａ〜８Ｄにおけるパワー成分は微小である。パワー成分とはレンズ作用に相当するものであり、回折面パワーのことを意味している。分割領域８Ａ〜８Ｄにおいてパワー成分が小さいほど、回折型光学素子８のＨＯＥ面８Ｚと光軸との位置誤差に対してスポットの位置誤差が少ない。その理由は、パワー成分が全くない場合には、回折型光学素子８のＨＯＥ面８Ｚがホログラムパターンのない平板とみなせるからである。
【００５０】
以上のように、レーザ光源２の発光点２Ｐと光検出器９の受光中心点９Ｐとを共役配置にすることにより、分割領域８Ａ〜８Ｄは最小限の微小なパワー成分を有するのみである。そのため、Ｓ／Ｎの良い安定したフォーカスエラー信号及びトラッキングエラー信号を得ることができる。
【００５１】
次に図６，７を用いて、レーザ光源２の発光点２Ｐと光検出器９の受光中心点９Ｐを共役配置にする調整方法の例を説明する。図６は光ピックアップ装置１における光検出器９の位置の調整方法を説明するための図、図７は光ピックアップ装置１における光検出器９の位置の調整方法を示したフローチャートである。
【００５２】
図６に示すように、光検出器９を調整する前に、レーザ光源２、光路分離素子（偏光ビームスプリッタ）３、コリメータレンズ４、回折型光学素子８及び光検出器９が配置されている。偏光ビームスプリッタ３は、第１の光軸Ｌ１方向と第２の光軸方向Ｌ２とに光を分離するものであり、第１の光軸Ｌ１方向と第２の光軸Ｌ２方向とは偏光ビームスプリッタ３で交差する。図６においては、第１の光軸Ｌ１方向と第２の光軸Ｌ２方向とは直交しているが、交差する角度は直交方向には限定されない。そして、第１の光軸Ｌ１方向にレーザ光源２とコリメータレンズ４が配置され、第２の光軸Ｌ２方向に回折型光学素子８と光検出器９が配置されている。
【００５３】
前述のようにレーザ光源２等の部品が配置されている状態で、図７に示すように、光ピックアップ装置における光検出器９の調整が行われる。最初に、コリメータレンズ４に対向し、第１の光軸Ｌ１方向でレーザ光源２とは反対側に、撮像面１１Ａを有する撮像素子１１を配置する（図７、ステップＳ１）。次に、レーザ光源２の発光点２ＰよりＬＥＤ（Light Emitting Diode）モードで光を射出させる（図７、ステップ２）。
【００５４】
このＬＥＤモードによる光は、第１の信号面１０Ｂ１に対する記録又は再生を行う場合に用いるレーザモードよりも低出力な光であり、直線偏光特性がない。そのため、レーザ光源２の発光点２Ｐから射出された光は、偏光ビームスプリッタ３の偏光選択性誘電体多層膜３Ａで２つの光に分離される。一方は、偏光選択性誘電体多層膜３Ａを第１の光軸Ｌ１上を透過してコリメータレンズ４へと入射する光である。他方は、偏光選択性誘電体多層膜３Ａで反射され第２の光軸Ｌ２上を進み、回折型光学素子８を通って光検出器９の受光面で反射される。この光検出器の受光面上で反射された光は、再び第２の光軸Ｌ２上を進み、回折型光学素子８を通って偏光選択性誘電体多層膜３Ａで反射されて、第１の光軸Ｌ１方向上に戻り、コリメータレンズ４へと入射する光である。
【００５５】
次に、前述の２つの光は撮像素子１１の撮像面１１Ａで合わせて受光され、撮像される（図７、ステップＳ３）。そして、レーザ光源２の発光点２Ｐと光検出器９の受光面の双方に焦点が合うか否かを目視又は機械により判定する（図７、ステップＳ４）。ステップＳ４で焦点が合わない場合（Ｎ）、光検出器９の位置を第２の光軸Ｌ２方向に調整し（図７、ステップＳ５）、再びステップＳ４へ戻る。ステップＳ５で双方に焦点が合った場合（Ｙ）、レーザ光源２の発光点２Ｐと光検出器９の受光中心点９Ｐが共役配置となるので、調整を終了する。
【００５６】
以上の調整方法により、レーザ光源２の発光点２Ｐと光検出器９の受光中心点９Ｐは容易に共役配置とすることができる。そのため、回折型光学素子の位置誤差に対して信号検出光となるスポットの位置誤差が少ない構成となる。よって、Ｓ／Ｎの良い安定した信号を低コストで得る光ピックアップ装置が、容易に製造できる。なお、図７は調整方法の例であって、撮像に用いる光用の光源はレーザ光源２とは別に設けてもよい。また、撮像素子１１の代わりに、顕微鏡のレンズを用いて観察する方法としてもよい。
【００５７】
図８はフォーカスエラー信号を得るためのＳカーブとスポット形状を示した図である。図８（ａ）は、光ディスク１０が対物レンズ７に近く、Ｓカーブが最大となるときの受光セル９Ａ，９Ｂ上でのスポット形状である。このとき、受光セル９Ａ１，９Ｂ２に対して信号検出光の大半のスポット２１ａ，２１ｂが照射され、受光セル９Ａ２、９Ｂ１に対しては僅かなスポット２１ａ，２１ｂが照射されるのみである。図８（ｂ）は光ディスク１０が対物レンズ７から遠く、Ｓカーブが最小となるときの受光セル９Ａ、９Ｂ上でのスポット形状である。このとき、受光セル９Ａ２，９Ｂ１に対して大半のスポット２１ａ，２１ｂが照射され、受光セル９Ａ１、９Ｂ２に対しては僅かなスポット２１ａ，２１ｂが照射されるのみである。そして、フォーカスを変化させてフォーカスエラー信号ＦＥを算出することにより、図８（ｃ）に示すように良好なＳカーブ特性が得られる。図８（ｃ）の横軸はデフォーカス量（１目盛り４μｍ）、縦軸はフォーカスエラー信号ＦＥ１のレベルを示す。図８（ｃ）のフォーカスエラー信号ＦＥ１の最大レベルが図８（ａ）のとき、最小レベルが図８（ｂ）のときである。なお、デフォーカスが全く無いときは、均等な扇形状スポット２１ａ，２１ｂが形成される。
【００５８】
図９は光検出器９の内部にある演算回路の回路系統図を示している。本回路は、フォーカスエラー信号ＦＥ１、トラッキングエラー信号ＰＰ１，ＡＰＰ１及びメイン信号ＲＦ１を算出する。まず、同図において、フォーカスエラー信号ＦＥ１を計算する方法について説明する。受光セル９Ａ１から得られる電気信号Ａ１１、受光セル９Ａ２から得られる電気信号Ａ１２、受光セル９Ｂ１から得られる電気信号Ｂ１１、受光セル９Ｂ２から得られる電気信号Ｂ１２、加算器３１、３２及び減算器３７を用いて、以下の（２）式により算出される。
ＦＥ１＝（Ａ１１＋Ｂ１２）−（Ａ１２＋Ｂ１１）  …（２）
（２）式に示すように、フォーカスエラー検出として一般的な非点収差法が使えるので、光ピックアップ装置１は従来のフロントエンドプロセッサ（以下、ＦＥＰという）に対して容易に対応できる。
【００５９】
図１０は、ＨＯＥ面８Ｚ上において、記録再生層の信号面１０Ｂ１から反射して形成されるスポット４５，４６を示した図である。なお、図１０（ａ）はＢｌｕ−ｒａｙ規格の光ディスク（ＢＤ）に対する記録又は再生を行う場合、図１０（ｂ）はＨＤ−ＤＶＤ規格の光ディスク（ＨＤ−ＤＶＤ）に対する記録又は再生を行う場合である。記録再生層の信号面１０Ｂ１からの反射光のスポット４５，４６には、トラックやピット（以下、トラックと記す）によって回折した１次光と回折しない０次光との重なり部分４５ａ，４６ａが生じる。この重なり部分４５ａ，４６ａが干渉して左右の光強度の違いが生じることによって、いわゆるプッシュプル信号成分が得られる。
【００６０】
重なり部分４５ａ，４６ａの大きさは光ディスクの規格で決まり、ＢＤとＨＤ−ＤＶＤではこの重なり部分４５ａ，４６ａの割合が異なる。対物レンズ７の開口数、レーザ光ＬＳの波長及び記録再生層の信号面１０Ｂ１上のトラックピッチにより、０次光と１次光の重なる割合が一義的に定まる。
【００６１】
図３の分割線８ｉと８ｊ（それぞれの分割線のなす角度がラジアル方向に対して±４５°）でＨＯＥ面８Ｚを分割すると、ＢＤの場合の分割線８ｉ，８ｊはスポット４５の半径に対し約７％の余裕、ＨＤ−ＤＶＤの場合の分割線８ｉ，８ｊはスポット４６の半径に対し約１４％の余裕をもつのみである。ここで、ＢＤの場合、波長を４０５ｎｍ、トラックピッチを０．３２μｍ、開口数を０．８５、ＨＤ−ＤＶＤの場合、波長を４０５ｎｍ、トラックピッチを０．４μｍ、開口数を０．６５としている。
【００６２】
図３の分割線８ｉと８ｊによれば、重なり部分４５ａ，４６ａがフォーカスエラー信号ＦＥの計算で用いる分割領域８Ａ，８Ｂ上に照射されることがない。よって、トラックを横断する際の光量変化が生じにくいため、トラック横断によるフォーカスエラー信号ＦＥの変動が生じない。逆に重なり部分４５ａ，４６ａが必要以上に含まれないため、トラックピッチの２倍の周期による回折光の影響をもフォーカスエラー信号ＦＥから排除できる。ＢＤの場合、分割線８ｉとラジアル方向とがなす角度が４１．８°以下になると、重なり部分４５ａ，４６ａと分割線８ｉが交わる。同様に、分割線８ｊとラジアル方向とがなす角度が−４１．８°以上になると、重なり部分４５ａ，４６ａと分割線８ｊが交わる。
【００６３】
ＨＤ−ＤＶＤの場合、分割線８ｉとラジアル方向とがなす角度が３９．７°以下になると、重なり部分４５ａ，４６ａと分割線８ｉが交わる。同様に、分割線８ｊとラジアル方向とがなす角度が−３９．７°以上になると、重なり部分４５ａ，４６ａと分割線８ｊが交わる。分割線８ｉ，８ｊが分割領域８Ａ，８Ｂに少し交わることは影響が少なく、また０次光と１次光が重ならない部分が必要以上に多く含まれるのは好ましくない。以上の条件を考慮すると、分割線８ｉとラジアル方向とがなす角度は４０°以上５０°以下、分割線８ｊとラジアル方向とがなす角度は−５０°以上−４０°以下とするのが好ましい。そして、図３に示したように、分割線８ｉとラジアル方向とがなす角度は４５°、分割線８ｊとラジアル方向とがなす角度は−４５°とするのが最も望ましい。
【００６４】
次に、トラッキングエラー信号を計算する方法について説明する。受光セル９Ｃで電気信号Ｃ１，受光セル９Ｄで電気信号Ｄ１が得られ、この電気信号Ｃ１，Ｄ１にはプッシュプル信号成分が含まれる。よって、通常のＰＰ（Push Pull）法（プッシュプル法）によるトラッキングエラー信号ＰＰ１は、電気信号Ｃ１，Ｄ１及び減算器３６を用いて、以下の（３）式により算出される。
ＰＰ１＝Ｃ１−Ｄ１  …（３）
【００６５】
ところで、通常のＰＰ法あるいはＤＰＰ法によるトラッキングエラー信号は、レンズシフトやラジアル方向の光ディスクのチルト時にオフセットが発生する信号として知られている。このオフセットを低減したトラッキングエラー検出方法として、前述のＡＰＰ法が知られている。ＡＰＰ法によるトラッキングエラー信号ＡＰＰ１は、電気信号Ａ１１〜Ｄ１、加算器３３，３４、減算器３６，３９，４２及び乗算器４０を用いて、以下の（４）式により算出される。
ＡＰＰ１=(Ｃ１−Ｄ１)−ｋ１・｛（Ａ１１+Ｂ１１）−(Ａ１２+Ｂ１２)｝  …（４）
ここで、ｋ１は乗算器４０の乗算係数である。
【００６６】
このトラッキングエラー信号ＡＰＰ１は、前記したレンズシフト等のオフセットのみならず、記録マークの境界で生じるオフセットも低減することが可能である。すなわち、信号Ａ１１と信号Ｂ１１の和から信号Ａ１２と信号Ｂ１２の差をとったＤＣ成分で補正することにより、記録マークの境界で生じるオフセットが低減できる。なお、乗算係数ｋ１は、レンズシフトと記録境界でのオフセットを補正し、また外乱などがあってもオフセットの発生が小さくなるように最適化したものである。以上により、トラッキングエラー信号ＰＰ１，ＡＰＰ１は３ビーム方式を用いることなく、１ビーム方式で得ることができる。
【００６７】
また、メイン信号ＲＦは、電気信号Ａ１１〜Ｄ１、加算器３１、３２、３３、３８及び４１を用いて、以下の（５）式により算出される。
ＲＦ１＝Ａ１１＋Ａ１２＋Ｂ１１＋Ｂ１２＋Ｃ１＋Ｄ１  …（５）
【００６８】
次に、光検出器９の受光面上でのクロストーク光について説明する。クロストーク光には、記録再生層の信号面１０Ｂ１からの反射光で且つＨＯＥ面８Ｚにより信号検出光の次数ｍａ＝１以外で回折されたクロストーク光と、他層の信号面１０Ｂ２からの反射光で且つＨＯＥ面８Ｚにより次数ｍｂで回折されたクロストーク光とがある。
【００６９】
分割領域８Ａ〜８Ｄで回折させる１次回折光は７０％以上が望ましいが、その場合でも次数ｍａ＝１以外の回折光が僅かな回折効率で発生する。任意の次数ｍａの回折光は、ｍａの値が大きくなればなるほど受光セル９Ａ〜９Ｄから離れる位置でスポットを形成する。そのため、記録再生層の信号面１０Ｂ１からの反射光で、且つＨＯＥ面８Ｚにより信号検出光の次数ｍａ＝１以外で回折されたクロストーク光は、次数ｍａ＝０，−１の場合を考えればよい。
【００７０】
また、他層の信号面１０Ｂ１からの反射光で、且つＨＯＥ面８Ｚにより信号検出光の任意の次数ｍｂで回折されたクロストーク光は、倍率に合わせて広がり局所的な光量は少ない。そのため、回折効率の高い信号検出光と同じ次数ｍｂ＝１の場合を考えればよい。
【００７１】
図１１は光検出器９の受光面上でのクロストーク光により形成されるスポットの状態を示した図である。記録再生層の信号面１０Ｂ１から生じるスポット２１ａ〜２１ｄ、及びスポット２２は、図４において説明した通りである。記録再生層の信号面１０Ｂ１からの反射光で、且つＨＯＥ面８Ｚの分割領域８Ａ〜８Ｄにおいて次数ｍａ＝−１で回折されて形成されるスポット２３ａ〜２３ｄは、受光中心点９Ｐからみてスポット２１ａ〜２１ｄと対称な位置に生じる。よって、スポット２３ａ〜２３ｄが各受光セル９Ａ〜９Ｄ上に照射されないようにすることができる。そのため、Ｓ／Ｎが良く安定した信号が得られる。
【００７２】
他層の信号面１０Ｂ２からの反射光で、且つＨＯＥ面８Ｚの各分割領域８Ａ〜８Ｄにおいて次数ｍｂ＝１で回折されて形成されるスポット２４ａ〜２４ｄは、スポット２１ａ〜２１ｄに対して９０°回転した方向で扇形状に広がる。よって、スポット２４ａ〜２４ｄは各受光セル９Ａ〜９Ｄ上に、ほとんど照射されないようにすることができる。そのため、より一層Ｓ／Ｎの良い安定した信号が得られる。
【００７３】
以上説明してきたように、レーザ光源の発光点と光検出器の受光中心点とを共役な位置関係にして、回折型光学素子の位置誤差に対してスポットの位置誤差が少ない構成としている。そのため、Ｓ／Ｎの良い安定したフォーカスエラー信号及びトラッキングエラー信号を得ることができる。
【００７４】
また、図１１に示すように、クロストーク光がすべての受光セル上に照射しない構成としている。そのため、Ｓ／Ｎの良い、より一層安定したフォーカスエラー信号及びトラッキングエラー信号を得ることができる。
【００７５】
また、図３、図４に示すように、１枚の回折型光学素子と少ない受光セルで構成しているので、低コストでクロストーク光が受光セル上に照射しないようにできる。また、１ビーム方式であるので、グレーティングが不要となり、ＢＤとＨＤ−ＤＶＤのようにトラックピッチが異なる複数種の光ディスクに対応ができる利点がある。
【００７６】
＜第２の実施形態＞
本発明の第２の実施形態について、図１２〜図１５を参照し、第１の実施形態とは異なる点を中心として詳細に説明する。第２の実施形態では、第１の実施形態の回折型光学素子８に代わって回折型光学素子５０、光検出器９に代わって光検出器５１を用いたものである（図１，図２参照）。それ以外の構成部品については図１、図２と同じであり、光学部品の配置も同じである。
【００７７】
図１２は、回折型光学素子５０の６分割パターンを示した図、図１３は光検出器５１の受光セル５１Ａ〜５１Ｆの配置を示した図である。ＨＯＥ面５０Ｚの６つの分割領域５０Ａ〜５０Ｆは光軸中心５０Ｐを通る３本の分割線５０ｉ，５０ｊ，５０ｋによって分けられる。分割線５０ｉはラジアル方向と同方向であり、分割線５０ｊ，５０ｋは、分割線５０ｉに対して±４５°方向に配置される。そして、分割領域５０Ａ〜５０Ｆはそれぞれ異なる回折構造をもつホログラムパターンとなっており、且つ次数ｍａ＝１の回折光に対し非点収差を付与する構成となっている。よって、６つの分割領域５０Ａ〜５０Ｆにそれぞれ対応して非点収差が付与された６つの１次回折光が生じる。第１の実施形態と同様に、対物レンズ７でのレンズシフトやレンズチルトがない状態では、記録再生層の信号面１０Ｂ１からの反射光の光束中心がＨＯＥ面５０Ｚの略光軸中心５０Ｐを通る。
【００７８】
その後、６つの１次回折光は光検出器５１の受光面上に配置された受光セル５１Ａ〜５１Ｆで信号検出光のスポット６１ａ〜６１ｆを形成して受光される。受光セル５１Ａ〜５１ＦはＨＯＥ面５０Ｚの分割領域５０Ａ〜５０Ｆの各回折方向に応じて配置されており、分割領域５０Ａで回折された１次回折光は受光セル５１Ａ（５１Ａ１と５１Ａ２にまたがる）上でスポット６１ａを形成して受光される。同様に分割領域５０Ｂで回折された１次回折光は受光セル５１Ｂ（５１Ｂ１と５１Ｂ２にまたがる）上でスポット６１ｂを、分割領域５０Ｃで回折された１次回折光は受光セル５１Ｃ上でスポット６１ｃを、分割領域５０Ｄで回折された１次回折光は受光セル５１Ｄ上でスポット６１ｄを、分割領域５０Ｅで回折された１次回折光は受光セル５１Ｅ上でスポット６１ｅを、分割領域５０Ｆで回折された１次回折光は受光セル５１Ｆ上でスポット６１ｆを、それぞれ形成して受光される。
【００７９】
受光中心点５１Ｐは、記録再生層の信号面１０Ｂ１からの反射光で、且つ分割領域５１Ａ〜５１Ｆで回折作用を受けずに透過した０次回折光が、スポット６２を形成して略集光する位置である。記録再生層の信号面１０Ｂ１からの反射光の光束中心がＨＯＥ面５０Ｚの略光軸中心５０Ｐを通る。また、第１の実施形態と同様の理由により、受光セル５１Ａ，５１Ｂの中点５１Ｑから受光中心点５１Ｐまでの距離と、受光セル５１Ｃ，５１Ｅの中点５１Ｒから受光中心点５１Ｐまでの距離と、受光セル５１Ｄ，５１Ｆの中点５１Ｓから受光中心点５１Ｐまでの距離は略等しいのが望ましい。
【００８０】
また、光ディスク１０のトラックを光検出器５１の受光面上に投影した時、受光セル５１Ａはラジアル方向で受光セル５１Ａ１と５１Ａ２に、受光セル５１Ｂはラジアル方向で受光セル５１Ｂ１と５１Ｂ２にそれぞれ２分割される。また、非点収差の方向についても第１の実施形態と同様である。
【００８１】
各受光セル５１Ａ〜５１Ｆ上での各信号検出光のスポット６１ａ〜６１ｆは、分割領域５０Ａ〜５０Ｆに応じた扇形状となるが、分割領域がなく円形状のホログラムパターンで最小錯乱円となる円形状スポットと考えた場合に適切な非点収差を有し、他の収差は発生しないものである。そして、非点収差により生じる２つの焦線の略中間でスポットが最小錯乱円となるので、この中間位置に受光セル５１Ａ〜５１Ｆが配置される。
【００８２】
図５において、第１の実施形態と同様に、射出系の実効距離Ｎ１と実効距離Ｎ２が等しい。よって、レーザ光源２の発光点２Ｐと光検出器５１の受光中心点５１Ｐは共役配置となり、分割領域８Ａ〜８Ｄは最小限の微小なパワー成分を有するのみである。そのため、光ピックアップ装置１は、回折型光学素子５０の位置誤差に対して信号検出光となるスポット６１ａ〜６１ｆの位置誤差が少ない構成となり、Ｓ／Ｎの良い安定したフォーカスエラー信号及びトラッキングエラー信号を得ることができる。レーザ光源２の発光点２Ｐと光検出器５１の受光中心点５１Ｐを共役配置にする調整方法についても、図６，７に示した第１の実施形態と同様である。
【００８３】
図１４は光検出器９の内部にある演算回路の回路系統図を示している。本回路は、フォーカスエラー信号ＦＥ２、トラッキングエラー信号ＰＰ２，ＡＰＰ２及びメイン信号ＲＦ２を算出する。まず、同図において、フォーカスエラー信号ＦＥ２を計算する方法について説明する。受光セル９Ａ１から得られる電気信号Ａ１１、受光セル９Ａ２から得られる電気信号Ａ１２、受光セル９Ｂ１から得られる電気信号Ｂ１１、受光セル９Ｂ２から得られる電気信号Ｂ１２、加算器７１、７２及び減算器７７を用いて、以下の（６）式より算出される。
ＦＥ２＝（Ａ２１＋Ａ２２）−（Ａ２２＋Ｂ２１）  …（６）
（６）式に示すように、フォーカスエラー検出として一般的な非点収差法が使えるので、光ピックアップ装置１は従来のＦＥＰに対して容易に対応できる。
【００８４】
第１の実施形態の図１０と同様に、ＨＯＥ面５０Ｚ上において、記録再生層の信号面１０Ｂ１から反射して形成されるスポットは、トラックによって回折した１次光と回折しない０次光との重なり部分が生じるので、プッシュプル信号成分が得られる。よって、分割線５０ｉと分割線５０ｊとがなす角度は４０°以上５０°以下とするのが好ましい。同様に、分割線５０ｉと分割線５０ｋとがなす角度は−５０°以上−４０°以下とするのが好ましい。そして、分割線５０ｉと５０ｊとがなすそれぞれの角度は４５°、分割線５０ｉと５０ｋとがなすそれぞれの角度は−４５°とするのが最も望ましい。
【００８５】
次に、トラッキングエラー信号を計算する方法について説明する。受光セル５１Ｃで電気信号Ｃ２、受光セル５１Ｄで電気信号Ｄ２、受光セル５１Ｅで電気信号Ｅ２、受光セル５１Ｆで電気信号Ｆ２が得られ、この電気信号Ｃ２〜Ｆ２はプッシュプル信号成分が含まれる。よって、通常のＰＰ法によるトラッキングエラー信号ＰＰ２は、電気信号Ｃ２〜Ｆ２、加算器７５，７６及び減算器８０を用いて、以下の（７）式により算出される。
ＰＰ２＝（Ｃ２＋Ｄ２）−（Ｅ２＋Ｆ２）  …（７）
【００８６】
また、トラッキングエラー信号ＡＰＰ２は、電気信号Ａ２１〜Ｆ２、加算器７３，７４，７５，７６、減算器７９，８０，８４及び乗算器８２を用いて、以下の（８）式により算出される。
ＡＰＰ２=（Ｃ２＋Ｄ２）−（Ｅ２＋Ｆ２）−ｋ２｛（Ａ２１＋Ｂ２１）−（Ａ２２＋Ｂ２２）｝  …（８）
ここで、ｋ２は乗算器８２の乗算係数である。乗算係数ｋ２は、レンズシフトと記録境界でのオフセットを補正し、また外乱などがあってもオフセットの発生が小さくなるように最適化したものである。
【００８７】
さらに、メイン信号ＲＦは、電気信号Ａ２１〜Ｆ２、加算器７１，７２，７５，７６，７８，８１及び８３を用いて、以下の（９）式により算出される。
ＲＦ２＝Ａ２１+Ａ２２+Ｂ２１+Ｂ２２+Ｃ２+Ｄ２+Ｅ２+Ｆ２  …（９）
【００８８】
第２の実施形態の場合は、ＢＤ−ＲＯＭなどの再生型光ディスクに対応したＤＰＤ法によるトラッキングエラー信号を検出することが可能である。ＤＰＤ信号は、電気信号Ｃ２と電気信号Ｅ２の和（Ｃ２＋Ｅ２）と電気信号Ｄ２と電気信号Ｆ２の和（Ｄ２＋Ｆ２）を比較演算することで得られる。よって、第２の実施形態はＡＰＰ法とＤＰＤ法が両立できる構成であり、第１の実施形態より多様な媒体に対応可能である。
【００８９】
次に、光検出器５１の受光面上でのクロストーク光について説明する。クロストーク光には、記録再生層の信号面１０Ｂ１からの反射光で且つＨＯＥ面５０Ｚにより信号検出光の次数ｍａ＝１以外で回折されたクロストーク光と、他層の信号面１０Ｂ２からの反射光で且つＨＯＥ面５０Ｚにより次数ｍｂで回折されたクロストーク光とがある。第１の実施形態と同様、次数ｍａ＝０，−１の場合及び次数ｍｂ＝１の場合を考えればよい。
【００９０】
図１５は光検出器９の受光面上でのクロストーク光により形成されるスポットの状態を示した図である。記録再生層の信号面１０Ｂ１から生じるスポット６１ａ〜６１ｆ及びスポット６２は、図１３において説明した通りである。記録再生層の信号面１０Ｂ１からの反射光で、且つＨＯＥ面５０Ｚの分割領域５０Ａ〜５０Ｆにおいて次数ｍａ＝−１で回折されて形成されるスポット６３ａ〜６３ｆは、受光中心点５１Ｐからみてスポット６１ａ〜６１ｆと対称な位置に生じる。よって、スポット６３ａ〜６３ｆが各受光セル５１Ａ〜５１Ｆ上に照射されないようにすることができる。そのため、Ｓ／Ｎの良い安定した信号が得られる。
【００９１】
他層の信号面１０Ｂ２からの反射光で、且つＨＯＥ面５０Ｚの各分割領域５０Ａ〜５０Ｆにおいて次数ｍｂ＝１で回折されて形成されるスポット６４ａ〜６４ｆは、スポット６１ａ〜６１ｆに対して９０°回転した方向で扇形状に広がる。よって、スポット６４ａ〜６４ｆは各受光セル５１Ａ〜５１Ｆ上に、ほとんど照射されないようにすることができる。そのため、より一層Ｓ／Ｎの良い安定した信号が得られる。
【００９２】
以上説明してきたように、レーザ光源の発光点と光検出器の受光中心点とを共役な位置関係にして、回折型光学素子の位置誤差に対して信号検出光となるスポットの位置誤差が少ない構成としている。そのため、Ｓ／Ｎの良い安定したフォーカスエラー信号及びトラッキングエラー信号を得ることができる。
【００９３】
また、図１５に示すように、クロストーク光がすべての受光セル上に照射しない構成としている。そのため、Ｓ／Ｎの良い、より一層安定したフォーカスエラー信号及びトラッキングエラー信号を得ることができる。
【００９４】
また、１枚の回折型光学素子と少ない受光セルで構成しているので、低コストでクロストーク光が受光セル上に照射しないようにできる。また、１ビーム方式であるので、グレーティングが不要となり、ＢＤとＨＤ−ＤＶＤのようにトラックピッチが異なる複数種の光ディスクに対応ができる利点がある。
【００９５】
なお、第１，第２実施形態では波長４０５ｎｍの青色レーザ光源を１つ用いて、片面２層のＢＤに対応する光ピックアップ装置の構成を示したが、本発明はこの第１，第２実施形態に限定されるものではない。例えば、同じ青色レーザ光源を用いてＢＤ，ＨＤ−ＤＶＤの双方に対応する光ピックアップ装置、ＤＶＤやＣＤにも対応する光ピックアップ装置、３層以上の光ディスクに対応する光ピックアップ装置にも適用可能である。
【図面の簡単な説明】
【００９６】
【図１】本発明の光ピックアップ装置の全体構成図である。
【図２】本発明の光ピックアップ装置の検出系を示した図である。
【図３】図１中のＨＯＥ面の４分割パターンを示した図である。
【図４】図１中の４分割パターンに対応した受光セルのパターンを示した図である。
【図５】図１中の射出系と検出系の実効距離を示した図である。
【図６】本発明の光ピックアップ装置の調整方法を説明するための図である。
【図７】本発明の光ピックアップ装置の調整方法のフローチャートを示した図である。
【図８】本発明装置におけるフォーカスエラー信号の例とそのときの受光セル上でのスポット形状を示した図である。
【図９】本発明装置における電気信号の演算回路のブロック図である。
【図１０】図１中のＨＯＥ面上におけるトラックで回折した０次光と１次光の重なり部分を含むスポット形状を示した図である。
【図１１】図４中の受光セル上でのクロストーク光の広がりを示した図である。
【図１２】図１中のＨＯＥ面の６分割パターンを示した図である。
【図１３】図１中の６分割パターンに対応した受光セルのパターンを示した図である。
【図１４】本発明装置における電気信号の演算回路の別のブロック図である。
【図１５】図１３中の受光セル上でのクロストーク光の広がりを示した図である。
【図１６】従来の光ピックアップ装置の検出系を示した図である。
【図１７】従来の光ピックアップ装置の検出系に用いるＨＯＥパターン（ファーフィールドパターン）を示した図である。
【図１８】従来の光ピックアップ装置の信号検出光とクロストーク光のスポットの状態を示した図である。
【図１９】従来の光ピックアップ装置の検出系に用いる液晶素子の構造を示した図である。
【図２０】従来の光ピックアップ装置のビームが受光セルへ集光する状態を示した図である。
【符号の説明】
【００９７】
１  光ピックアップ装置
２  レーザ光源
３  光路分離素子（偏光ビームスプリッタ）
４  コリメータレンズ
７  対物レンズ
８，５０  回折型光学素子
８Ｚ，５０Ｚ  ＨＯＥ面
８Ａ〜８Ｄ，５０Ａ〜５０Ｆ  分割領域
８ｉ，８ｊ，５０ｉ，５０ｊ，５０ｋ  分割線
８Ｐ，５０Ｐ  光軸中心
９，５１  光検出器
９Ａ〜９Ｄ，５１Ａ〜５１Ｆ  受光セル
９Ｐ，５１Ｐ  受光中心点
１０  光ディスク
１０Ａ  光入射面
１０Ｂ  信号面
１０Ｂ１  第１の信号面（記録再生層の信号面）
１０Ｂ２  第２の信号面（他層の信号面）
１１  撮像素子
１１Ａ  撮像面
２１ａ〜２１ｄ，６１ａ〜６１ｆ  信号検出光によるスポット
ＬＳ  射出光
ＬＴ  反射光
Ｌ１  第１の光軸
Ｌ２  第２の光軸
【図１】
2009015954.tif 000003
【図２】
2009015954.tif 000004
【図３】
2009015954.tif 000005
【図４】
2009015954.tif 000006
【図５】
2009015954.tif 000007
【図６】
2009015954.tif 000008
【図７】
2009015954.tif 000009
【図８】
2009015954.tif 000010
【図９】
2009015954.tif 000011
【図１０】
2009015954.tif 000012
【図１１】
2009015954.tif 000013
【図１２】
2009015954.tif 000014
【図１３】
2009015954.tif 000015
【図１４】
2009015954.tif 000016
【図１５】
2009015954.tif 000017
【図１６】
2009015954.tif 000018
【図１７】
2009015954.tif 000019
【図１８】
2009015954.tif 000020
【図１９】
2009015954.tif 000021
【図２０】
2009015954.tif 000022